(57)【要約】【課題】長期間、継続的に使用されても、除電性能の低下が少なく、安定した除電効果を発揮し、静電オフセットの発生を効果的に抑止することが可能な定着装置を提供する。【解決手段】未定着画像が静電転写された記録シートを定着ニップに通紙し、未定着画像を熱定着する定着装置5であって、加熱回転体51と、加熱回転体51に圧接して加熱回転体51との間に定着ニップｎを形成する加圧回転体52と、定着ニップｎよりも搬送方向下流に配され、定着ニップｎを通過中の記録シートと接触し、加熱回転体51及び加圧回転体52の表面上の電荷を、当該記録シートを介して除電する除電回転体53と、を備え、除電回転体53は、導電性の回転体である。【選択図】図２
2011232439.tif 000002
【特許請求の範囲】
【請求項１】
未定着画像が静電転写された記録シートを定着ニップに通紙し、未定着画像を熱定着する定着装置であって、
加熱回転体と、
前記加熱回転体に圧接して当該加熱回転体との間に前記定着ニップを形成する加圧回転体と、
前記定着ニップよりも搬送方向下流に配され、定着ニップを通過中の記録シートと接触し、前記加熱回転体及び前記加圧回転体の表面上の電荷を、当該記録シートを介して除電する除電手段と、
を備え、
前記除電手段は、導電性の回転体である
ことを特徴とする定着装置。
【請求項２】
前記導電性の回転体は、接地されている
ことを特徴とする請求項１記載の定着装置。
【請求項３】
前記導電性の回転体は、前記定着ニップの出口からの距離が５０ｍｍ以内の位置に配置されている
ことを特徴とする請求項１又は２に記載の定着装置。
【請求項４】
前記導電性の回転体は、体積抵抗率が１０５以下である
ことを特徴とする請求項１〜３の何れかに記載の定着装置。
【請求項５】
前記導電性の回転体は、導電性物質を含む弾性層を最外層とするローラである
ことを特徴とする請求項１〜４の何れかに記載の定着装置。
【請求項６】
前記導電性の回転体は、導電性物質を含む樹脂層を最外層とするローラである
ことを特徴とする請求項１〜４の何れかに記載の定着装置。
【請求項７】
前記導電性の回転体は、導電性物質を含む離型層を最外層とするローラである
ことを特徴とする請求項１〜４の何れかに記載の定着装置。
【請求項８】
前記導電性の回転体は、金属製のローラである
ことを特徴とする請求項１〜４の何れかに記載の定着装置。
【請求項９】
前記導電性の回転体は、１対のローラである
ことを特徴とする請求項１〜８の何れかに記載の定着装置。
【請求項１０】
請求項１〜９の何れかに記載の定着装置を備える
ことを特徴とする画像形成装置。
【発明の詳細な説明】
【技術分野】
【０００１】
本発明は、プリンタ、複写機等の画像形成装置が備える定着装置に関し、特に定着装置においてトナーが加熱部材に静電吸着される静電オフセットを防止する技術に関する。
【背景技術】
【０００２】
電子写真方式の画像形成装置においては、帯電した記録シート上にトナーを静電吸着させた後、当該トナーを定着装置で熱定着させることにより、印刷処理が行われる。この場合、熱定着が連続的に行われ、記録シートが定着装置の加熱ローラと加圧ローラとによって形成されるニップに継続的に通紙されると、記録シートとの摩擦帯電によって両ローラが帯電し、両ローラに電荷が蓄積される。
【０００３】
そして、両ローラに蓄積された電荷量の相対的関係により、記録シート上のトナーが加熱ローラの表面上に静電吸着される現象（以下、「静電オフセット」という。）が発生する。その結果、静電吸着されたトナーが、加熱ローラが１回転した後に記録シート上に再転写されて、記録シート上に再転写トナーのゴースト画像が形成され、画質が劣化することになる。
【０００４】
例えば、両ローラの表面が記録シート上のトナーの帯電極性と同極性に帯電し、加圧ローラの方が、加熱ローラより帯電量が大きい場合には、トナーが加熱ローラ側に引き寄せられ、加熱ローラの表面上に静電吸着されて静電オフセットが発生する。
このような静電オフセットを防止する技術として、例えば、特許文献１には、定着装置の下流側に除電ブラシを配置し、記録シートがニップに挟持された状態で記録シートを除電ブラシに接触させることで、定着ローラ（加熱ローラ）の電荷を除電する技術が開示されている。
【０００５】
これにより、静電オフセットの発生を防止し、熱定着後の画質劣化を有効に防止することができる。
【先行技術文献】
【特許文献】
【０００６】
【特許文献１】特開２００３−２３３２６１号公報
【発明の概要】
【発明が解決しようとする課題】
【０００７】
しかしながら、除電ブラシは、継続的に使用されると、記録シートとの接触により、除電ブラシの先端部に紙粉やトナー等が付着したり、先端部の形状が変形したりして、先端部と記録シートの表面との間に接触不良が生じやすい。その結果、除電ブラシによる除電性能が低下してしまうため、一定期間使用すると、除電ブラシを交換しなければならないという問題が生じる。
【０００８】
本発明は、上述のような問題に鑑みて為されたものであって、長期間、継続的に使用されても、除電性能の低下が少なく、安定した除電効果を発揮し、静電オフセットの発生を効果的に抑止することが可能な定着装置及び当該定着装置を備える画像形成装置を提供することを目的とする。
【課題を解決するための手段】
【０００９】
上記目的を達成するため、本発明の一形態に係る定着装置は、未定着画像が静電転写された記録シートを定着ニップに通紙し、未定着画像を熱定着する定着装置であって、加熱回転体と、前記加熱回転体に圧接して当該加熱回転体との間に前記定着ニップを形成する加圧回転体と、前記定着ニップよりも搬送方向下流に配され、定着ニップを通過中の記録シートと接触し、前記加熱回転体及び前記加圧回転体の表面上の電荷を、当該記録シートを介して除電する除電手段と、を備え、前記除電手段は、導電性の回転体であることを特徴とする。
【００１０】
前記導電性の回転体は、接地されていることとすることができる。又、前記導電性の回転体は、前記定着ニップの出口からの距離が５０ｍｍ以内の位置に配置されていることとすることができる。さらに、前記導電性の回転体は、体積抵抗率が１０５以下であることとすることができる。
又、前記導電性の回転体は、導電性物質を含む弾性層を最外層とするローラであることとすることができる。さらに、前記導電性の回転体は、導電性物質を含む樹脂層を最外層とするローラであることとすることができる。さらに、前記導電性の回転体は、導電性物質を含む離型層を最外層とするローラであることとすることができる。
【００１１】
又、前記導電性の回転体は、金属製のローラであることとすることができる。さらに、前記導電性の回転体は、１対のローラであることとすることができる。又、本発明の一形態に係る画像形成装置は、前記定着装置を備える画像形成装置であることとすることができる。
【発明の効果】
【００１２】
上記構成においては、除電手段が、導電性の回転体で構成されるので、定着ニップを通過中の記録シートと滑らかに接触して加熱回転体及び加圧回転体の表面上の電荷を、記録シートを介して除電することができるので、除電手段が長期間、継続的に使用されても記録シートと接触不良を起こすことなく、安定した除電効果を発揮することができ、静電オフセットの発生を抑止することができる。
【図面の簡単な説明】
【００１３】
【図１】プリンタ１の構成を示す図である。
【図２】定着装置５の構成を示す断面図である。
【図３】静電オフセットが発生するメカニズムを説明する図である。
【図４】静電オフセットにより、記録シート上に形成されるゴースト画像の具体例を示す。
【図５】除電ローラ対５３の配置位置と静電オフセット発生状況との関係について検討した結果を表で表した図ある。
【図６】除電ローラの体積抵抗率と静電オフセット発生状況との関係について検討した結果を表で表した図である。
【発明を実施するための形態】
【００１４】
(実施の形態)
以下、本発明に係る一形態の画像形成装置の実施の形態を、タンデム型カラーデジタルプリンタ（以下、単に「プリンタ」という。）に適用した場合を例にして説明する。
［１］プリンタの構成
先ず、本実施の形態に係るプリンタ１の構成について説明する。
【００１５】
図１は、本実施の形態に係るプリンタ１の構成を示す図である。
同図に示すように、このプリンタ１は、画像プロセス部３、給紙部４、定着装置５、制御部６０等を備えている。
プリンタ１は、ネットワーク（例えばＬＡＮ）に接続され、外部の端末装置（不図示）や図示しない操作パネルから印刷指示を受け付けると、その指示に基づいてイエロー、マゼンタ、シアンおよびブラックの各色のトナー像を形成し、これらを多重転写してフルカラーの画像を形成することにより、記録シートへの印刷処理を実行する。以下、イエロー、マゼンタ、シアン、ブラックの各再現色をＹ、Ｍ、Ｃ、Ｋと表し、各再現色に関連する構成要素の番号にこのＹ、Ｍ、Ｃ、Ｋを添字として付加する。
【００１６】
画像プロセス部３は、作像部３Ｙ、３Ｍ、３Ｃ、３Ｋ、露光部１０、中間転写ベルト１１、２次転写ローラ４５等を有している。作像部３Ｙ、３Ｍ、３Ｃ、３Ｋの構成は、いずれも同様の構成であるため、以下、主として作像部３Ｙの構成について説明する。
作像部３Ｙは、感光体ドラム３１Ｙと、その周囲に配設された帯電器３２Ｙ、現像器３３Ｙ、１次転写ローラ３４Ｙ、および感光体ドラム３１Ｙを清掃するためのクリーナ３５Ｙなどを有しており、感光体ドラム３１Ｙ上にＹ色のトナー像を作像する。現像器３３Ｙは、感光体ドラム３１Ｙに対向し、感光体ドラム３１Ｙに帯電トナーを搬送する。
【００１７】
中間転写ベルト１１は、無端状のベルトであり、駆動ローラ１２と従動ローラ１３に張架されて矢印Ｃ方向に周回駆動される。露光部１０は、レーザダイオードなどの発光素子を備え、制御部６０からの駆動信号によりＹ〜Ｋ色の画像形成のためのレーザ光Ｌを発し、作像部３Ｙ、３Ｍ、３Ｃ、３Ｋの各感光体ドラムを露光走査する。この露光走査により、帯電器３２Ｙにより帯電された感光体ドラム３１Ｙ上に静電潜像が形成される。作像部３Ｍ、３Ｃ、３Ｋの各感光体ドラム上にも同様にして静電潜像が形成される。
【００１８】
各感光体ドラム上に形成された静電潜像は、作像部３Ｙ、３Ｍ、３Ｃ、３Ｋの
各現像器により現像されて各感光体ドラム上に対応する色のトナー像が形成され
る。形成されたトナー像は、作像部３Ｙ、３Ｍ、３Ｃ、３Ｋの各１次転写ローラ（図１では、作像部３Ｙに対応する一次転写ローラのみ符号３４Ｙを付し、他の一次転写ローラについては、符号を省略している。）により、中間転写ベルト１１上の同じ位置に重ね合わされるように、中間転写ベルト１１上にタイミングをずらして順次1次転写された後、２次転写ローラ４５による静電力の作用により中間転写ベルト１１上のトナー像が一括して記録シート上に２次転写される。
【００１９】
トナー像が２次転写された記録シートは、さらに定着装置５に搬送され、記録シート上のトナー像（未定着画像）が、定着装置５において加熱及び加圧されて記録シートに熱定着された後、排出ローラ７１により排紙トレイ７２に排出される。
給紙部４は、記録シート（図１の符号Ｓで表す）を収容する給紙カセット４１と、給紙カセット４１内の記録シートＳを搬送路４３上に１枚ずつ繰り出す繰り出しローラ４２と、繰り出された記録シートＳを２次転写位置４６に送り出すタイミングをとるためのタイミングローラ対４４等を備えている。給紙カセットは、１つに限定されず、複数であってもよい。
【００２０】
記録シートＳとしては、大きさや厚さの異なる用紙（普通紙、厚紙）やＯＨＰシートなどのフィルムシートを利用できる。給紙カセットが複数ある場合には、異なる大きさ又は厚さ又は材質の記録シートを複数の給紙カセットに収納することとしてもよい。
繰り出しローラ４２、タイミングローラ対４４等の各ローラは、搬送モータ（不図示）を動力源とし、歯車ギヤやベルトなどの動力伝達機構（不図示）を介して回転駆動される。この搬送モータとしては、例えば、高精度の回転速度の制御が可能なステッピングモータが使用される。
【００２１】
記録シートＳは、中間転写ベルト１１上のトナー像の移動タイミングに合わせて給紙部４から２次転写位置４６に搬送され、２次転写ローラ４５により中間転写ベルト１１上のトナー像が一括して記録シートＳ上に２次転写される。
［２］定着装置の構成
図２は、定着装置５の構成を示す断面図である。同図に示すように、定着装置５は、加熱ローラ５１と、加圧ローラ５２と、除電ローラ対５３とを備える。加熱ローラ５１は、外径が２０〜５０ｍｍで、長尺で中空円筒状の芯金５１１と、芯金５１１の外周面を被覆する離型層５１２とを有し、芯金５１１の内部には、熱源としてヒータ５１３が配設されている。
【００２２】
芯金５１１は、加熱ローラ５１を支持する部材であり、耐熱性と強度を有する材料から構成される。芯金５１１は、厚さが０．５〜３ｍｍで、芯金の材料としては、例えば、アルミニウム、鉄、ステンレス等を用いることができる。離型層５１２は、加熱ローラ５１と記録シートＳとの離型性を高めるための層である。
離型層５１２の材料としては、定着温度での使用に耐えられるとともにトナーに対する離型性に優れたものを使用することができる。例えば、ＰＦＡ（四フッ化エチレン・パーフルオロアルコキシエチレン共重合体）、ＰＴＦＥ（四フッ化エチレン）、ＦＥＰ（四フッ化エチレン・六フッ化エチレン共重合体）、ＰＦＥＰ（四フッ化エチレン・六フッ化プロピレン共重合体）等のフッ素樹脂を使用することができる。離型層５１２の厚さは５〜１００μｍ、望ましくは１０〜５０μｍの範囲内のものとするのがよい。
【００２３】
ヒータ５１３としては、例えば、ハロゲンランプを用いることができる。ハロゲンランプに通電し、発熱させることにより、芯金５１１の内部を加熱することができる。ハロゲンランプに対する通電は、制御部６０により制御され、加熱ローラ５１の表面温度が、所定の定着温度になるように温度制御が行われる。
加圧ローラ５２は、長尺で中空円筒状の芯金５２１と、芯金５２１の外周面を被覆する弾性層５２２と、弾性層５２２の外周面を被覆する離型層５２３とを有する。加圧ローラ５２は、加熱ローラ５１と対向する位置に配置され、加熱ローラ５１を押圧して、加熱ローラ５１の外周面との間に周方向に所定幅を有する定着ニップｎを形成する。
【００２４】
芯金５２１は、加圧ローラ５２を支持する部材であり、耐熱性と強度を有する材料から構成される。芯金５２１の材料としては、例えば、アルミニウム、鉄、ステンレス等を用いることができる。弾性層５２２は、シリコーンゴム、フッ素ゴム等の弾性体で、厚さ１〜２０ｍｍの範囲内の耐熱性の高い材料で構成される。離型層５２３は、離型層５１２と同様に、加圧ローラ５２と記録シートとの離型性を高めるための層であり、離型層５１２と同様の材料及び厚さで構成することができる。
【００２５】
除電ローラ対５３は、加熱ローラ５１及び加圧ローラ５２の表面上に蓄積される電荷を除電するためのローラであり、定着ニップｎよりも搬送方向下流であって、定着ニップｎから所定距離の範囲内の位置に配置される。除電ローラ対５３は、定着ニップｎにおける記録シートＳとの間の摩擦帯電により加熱ローラ５１及び加圧ローラ５２の表面上に蓄積される電荷を、記録シートＳ、除電ローラ対５３を経由して大地に逃がすことができるように接地されている。
【００２６】
除電ローラ対５３は、記録シートＳと接触する外表面が、導電性材料で構成される。除電ローラ対５３の配置位置が、定着ニップｎから遠ざかるにつれて除電対象となる加熱ローラ５１及び加圧ローラ５２の表面上の電荷の移動距離が長くなり、除電効果が弱くなってしまうので、静電オフセットの発生を防止するのに充分な除電効果得るために、定着ニップｎの出口に相当する位置から、除電ローラ対５３の配置位置までの距離は、５０ｍｍ以内であることが望ましい。
【００２７】
さらに、除電ローラ対５３を構成する除電ローラの体積抵抗率が大きすぎると、記録シートＳ上に保持されている電荷を大地に逃すことができなくなるので、静電オフセットの発生を防止するのに充分な除電効果得るために、当該体積抵抗率は、１０５Ω・ｃｍ以下であることが望ましい。
除電ローラ対５３を構成する除電ローラとしては、図２に示すように、中空円筒形状の金属製の芯金５３１の外周面を、導電性物質を配合した弾性層５３２で被覆して形成したローラを用いることができる。芯金に用いる金属としては、例えば、アルミニウムや鉄等の金属を使用することができる。又、導電性の弾性層は、シリコーンゴム等の弾性物質に、カーボンブラック等の導電性フィラーを配合することにより、形成することができる。
【００２８】
さらに、芯金を弾性層で被覆する代わりに、ポリカーボネート（ＰＣ）ポリプロピレン（ＰＰ）、ポリフェニレンサルファイド（ＰＰＳ）等の樹脂にカーボンブラックや金属微粒子を配合した導電性の樹脂で芯金を被覆することにより、除電ローラを形成することとしてもよい。
又、除電ローラを、中空円筒形状の金属製（例えば、アルミニウムや鉄製）のローラで構成することとしてもよい。
【００２９】
又、除電ローラの最外層に導電性の離型層を形成することとしてもよい。導電性の離型層は、例えば、フッ素樹脂中に酸化錫、酸化チタン、酸化亜鉛、カーボンブラック等の導電性物質を分散させて形成することができる。
なお、除電ローラとして金属製ローラを用いる場合には、記録シートの搬送製を良好に保つため、もう一方のローラに弾性層を形成することが望ましい。
【００３０】
［３］静電オフセットが発生するメカニズム
図３は、静電オフセットが発生するメカニズムを説明する図である。トナーが静電力の作用により記録シート上に２次転写されると、図３に示されるように、符号Ｓで示す記録シートは、正に帯電し、負に帯電している符号Ｔで示すトナーを静電力により担持する。この正に帯電した記録シートＳが符号５１で示す加熱ローラと符号５２で示す加圧ローラとの間の定着ニップに通紙されると、記録シートＳの帯電電圧によって加熱ローラ５１と加圧ローラ５２とがそれぞれ分極して、その表面が負に帯電する（図３においては文字「−」にて表示されている）。
【００３１】
この場合において、加圧ローラ５２の方が加熱ローラ５１よりも表面電位が低い場合には（本実施の形態に係る加圧ローラ５２には、芯金５２１と離型層５２３との間に弾性層５１２が設けられているため、加圧ローラ５２は、弾性層５１２が設けられていない加熱ローラ５１よりも絶縁性が高く、加圧ローラ５２の表面上には、加熱ローラ５１の表面上よりも負の電荷多く蓄積され、加熱ローラ５１よりも表面電位が低くなる。）、記録シートＳ上のトナーＴが加熱ローラ５１の表面電位によって静電吸着されたり、或いは、加圧ローラ５２の表面電位と静電反発したりすることによって、加熱ローラ５１に吸着される。
【００３２】
これによって、静電オフセットが発生する。この静電オフセットの発生により、記録シートＳ上のトナーＴの一部が加熱ローラ５１の表面上に吸着されると、加熱ローラ５２が回転するに伴って吸着部が１回転した後、再び吸着部と記録シートＳとが接触し、記録シートＳ上における当該接触部にトナーが再転写される。
その結果、図４に示すように、記録シートＳ上において、先に定着ニップを通過した、トナーによる画像（図４の符号４１で示す画像）が形成された領域から、符号４２で示す、加熱ローラ５１の１回転分に相当する距離だけ移動した領域に、吸着されたトナーによる画像（符号４３で示す画像）が、符号４１で示す先の画像のゴースト画像として形成され、記録シートＳ上にゴースト画像の汚れが生じる。
【００３３】
本実施の形態に係る定着装置５では、導電性の除電ローラ対５３を設けることにより、加熱ローラ５１及び加圧ローラ５２の表面上の電荷が、記録シートＳを介して除電ローラ対５３に移動し、大地に逃がされる。その結果、加熱ローラ５１及び加圧ローラ５２の表面上における電荷の蓄積が抑制されるので、静電オフセットの発生を抑制することができる。
【００３４】
［４］静電オフセット発生状況の検討
以下に示す実験条件下で、除電ローラの配置位置と静電オフセットの発生状況との関係、及び、除電ローラの体積抵抗率と静電オフセットの発生状況との関係についてそれぞれ検討した。
（１）環境条件
温度１０℃、湿度１５％の条件下で実験を行った。
【００３５】
（２）実験用記録シート
上記環境条件下に１２時間以上放置した用紙を用いた。
（３）通紙条件
上記用紙を定着ニップに連続して１０００枚通紙し、熱定着を行った後に後に静電オフセットの発生状況を調べた。
【００３６】
（４）除電ローラ
（イ）配置位置
除電ローラ対５３の配置位置を、それぞれ、定着ニップの出口位置から２０ｍｍ、３０ｍｍ、４０ｍｍ、５０ｍｍ、６０ｍｍ、７０ｍｍ、８０ｍｍとし、各配置位置について、静電オフセットの発生状況を調べた。
【００３７】
（ロ）体積抵抗率
除電ローラの体積抵抗率を、それぞれ、１０−２Ω・ｍ、１０２Ω・ｍ、１０５Ω・ｍ、１０７Ω・ｍ、１０１０Ω・ｍとし、各体積抵抗率の除電ローラについて、静電オフセットの発生状況を調べた。
（５）静電オフセットの判定
（１）〜（４）に示す条件（（４）の場合は、(イ)又は(ロ)の何れかの条件）で、用紙にトナーを連続的に熱定着させた場合に、１０００枚目の用紙におけるゴースト画像（静電オフセットにより、加熱ローラに吸着されたトナーが、記録シート上に再転写されて形成される画像）の形成状況を目視により確認し、ゴースト画像の形成が認められない場合に、静電オフセット未発生（○）とし、ゴースト画像の形成の程度が軽微な場合に、静電オフセット軽微発生（△）とし、ゴースト画像の形成が明瞭に認められる場合に、静電オフセット発生（×）と判定する。
【００３８】
図５は、除電ローラ対５３の配置位置と静電オフセット発生状況との関係について検討した結果を表で表した図ある。同図に示すように、除電ローラ対５３の配置位置が定着ニップの出口位置から５０ｍｍを超えない範囲では、静電オフセットの発生は、無かったが、５０ｍｍを超えると静電オフセットの発生が認められた。
このように、配置位置が定着ニップから遠ざかるにつれて、静電オフセットが発生しやすくなるのは、定着ニップから遠ざかるにつれて、定着ニップを介して記録シート側に移動する加熱ローラ５１及び加圧ローラ５２の表面上の電荷が、除電ローラ対５３と記録シートとの接触部まで移動するのに要する距離が長くなり、導電性の良くない記録シート上を電荷が移動しにくくなり、除電ローラ対５３による除電効果が弱くなるためである。従って、静電オフセットが発生しないようにするためには、除電ローラ対５３を、定着ニップの出口位置からの距離が５０ｍｍを超えない範囲に配置する必要がある。
【００３９】
図６は、除電ローラの体積抵抗率と静電オフセット発生状況との関係について検討した結果を表で表した図である。同図に示すように、除電ローラの体積抵抗率が１０５Ω・ｃｍを超えない範囲では、静電オフセットの発生は、無かったが、体積抵抗率が１０５Ω・ｍを超えると静電オフセットの発生が認められた。これは、除電ローラの体積抵抗率が大きくなると、加熱ローラ５１や加圧ローラからの電荷が除電ローラ中を流れにくくなるため、電荷を大地に逃がすことができなくなり、除電効果が弱くなってしまからである。従って、静電オフセットが発生しないようにするためには、除電ローラの体積抵抗率が、１０５Ω・ｃｍを超えないようにする必要がある。
（変形例）
以上、本発明を実施の形態に基づいて説明してきたが、本発明が上述の実施の形態に限定されないのは勿論であり、以下のような変形例を実施することができる。
【００４０】
（１）本実施の形態においては、定着ニップにおける記録シートとの間の摩擦帯電により加熱ローラ５１及び加圧ローラ５２の表面上に蓄積される電荷を除電するために除電ローラ対５３を用いることとしたが、除電ローラの代わりに、除電ベルトを用いることとしてもよい。具体的には、支持ローラで張架された無端状のベルトを接地させ、除電ベルトとして用いることとしてもよい。
【００４１】
この場合、一方を、弾性層を有するローラとし、当該ローラと除電ベルトでニップを形成し、当該ニップに記録シートを挟み込むように構成することとしてもよい。これにより、除電ベルトにより除電を行いつつ、記録シートの搬送性を良好に保つことができる。
（２）本実施の形態においては、除電ローラを１対で構成することとしたが、一方のみを導電性部材で構成された除電ローラで構成し、もう一方のローラを非導電性部材からなるローラで構成することとし、除電ローラの方のみ接地させる構成とすることとしてもよい。例えば、記録シートにおけるトナー像が形成される面と反対側の面と接触するローラのみを除電ローラとすることとしてもよい。
【００４２】
又、除電ローラを１対ではなく、単体として記録シートに接触させ、記録シートの搬送に伴って従動回転させる構成としてもよい。
（３）本実施の形態においては、定着装置の加熱部材及び加圧部材としてローラ体を用いることとしたが、加熱部材及び加圧部材は、ローラ体に限定されない。
例えば、回動ベルト部材を用いることとしてもよい。又、定着装置の加熱体は、ヒータに限定されず、他の加熱方式であってもよい。例えば、電磁誘導加熱方式により加熱することとしてもよいし、抵抗発熱体のように、ジュール熱を利用した加熱方式であってもよい。
【００４３】
（４）本実施の形態においては、除電ローラを定着ニップよりも搬送方向下流に設け、記録シートと接触させることとしたが、加熱ローラ５１及び加圧ローラ５２の外周面上に除電ローラを設けることとしてもよい。又、加熱ローラ５１、加圧ローラ５２の何れか一方のローラの外周面上に除電ローラを設けることとしてもよい。
【産業上の利用可能性】
【００４４】
本発明は、プリンタ、複写機等の画像形成装置が備える定着装置に関し、特に定着装置においてトナーが加熱部材に静電吸着される静電オフセットを防止する技術として利用できる。
【符号の説明】
【００４５】
１                      プリンタ
３                      画像プロセス部
３Ｙ〜３Ｋ              作像部
４                      給紙部
５                      定着装置
１０                    露光部
１１                    中間転写ベルト
１２                    駆動ローラ
１３                    従動ローラ
３１Ｙ                  感光体ドラム
３２Ｙ                  帯電器
３３Ｙ                  現像器
３４Ｙ                  １次転写ローラ
３５Ｙ                  クリーナ
４１                    給紙カセット
４２                    繰り出しローラ
４３                    搬送路
４４                    タイミングローラ
４５                    ２次転写ローラ
４６                    ２次転写位置
５１                    加熱ローラ
５２                    加圧ローラ
５３                    除電ローラ対
６０                    制御部
７１                    排出ローラ
７２                    排紙トレイ
５１１、５２１、５３１  芯金
５１２、５２３          離型層
５２２、５３２          弾性層
【図１】
2011232439.tif 000003
【図２】
2011232439.tif 000004
【図３】
2011232439.tif 000005
【図４】
2011232439.tif 000006
【図５】
2011232439.tif 000007
【図６】
2011232439.tif 000008